Podtech/llm-jp-corpus-v4-ja_patent huggingface dataset:
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
遊技に関する情報を表示可能な表示領域を有する遊技情報表示手段と、
複数種類の図柄を表示する複数の回胴を有し、各回胴の回転停止時の図柄の組合せにより遊技結果を表示する遊技結果表示手段と、
所定条件の成立に応じて、通常遊技状態と比較して遊技者に有利な特別遊技状態に移行させる遊技制御手段と、を備えた回胴式遊技機であって、
前記特別遊技状態の終了条件は、所定回数の遊技が行われる第１の終了条件と、該第１の終了条件とは異なる第２の終了条件とを含む２以上の終了条件で構成され、
前記遊技制御手段は、前記２以上の終了条件のうち何れか１つが成立しても、別の終了条件が成立するまで前記特別遊技状態を継続させることを特徴とする回胴式遊技機。
【請求項２】
請求項１に記載の回胴式遊技機において、
抽選により当選役を決定する抽選手段を備え、
前記遊技制御手段は、前記特別遊技状態で前記抽選手段が決定した当選役が特定の当選役であった場合に、前記第１の終了条件の前記所定回数を変更して、該特別遊技状態を延長させることを特徴とする回胴式遊技機。
【請求項３】
請求項１に記載の回胴式遊技機において、
抽選により当選役を決定する抽選手段を備え、
前記遊技制御手段は、前記特別遊技状態で前記抽選手段が決定した当選役が特定の当選役であった場合に、前記第１の終了条件と前記第２の終了条件の両方を変更して、該特別遊技状態を延長させることを特徴とする回胴式遊技機。
【請求項４】
請求項１〜３の何れか１項に記載の回胴式遊技機において、
前記遊技情報表示手段に前記特別遊技状態における遊技の実行回数及び獲得した遊技価値量が表示され、１回の遊技毎に更新されることを特徴とする回胴式遊技機。
【手続補正２】
【補正対象書類名】明細書
【補正対象項目名】０００８
【補正方法】変更
【補正の内容】
【０００８】
第１発明は、遊技に関する情報を表示可能な表示領域を有する遊技情報表示手段と、複数種類の図柄を表示する複数の回胴を有し、各回胴の回転停止時の図柄の組合せにより遊技結果を表示する遊技結果表示手段と、所定条件の成立に応じて、通常遊技状態と比較して遊技者に有利な特別遊技状態に移行させる遊技制御手段と、を備えた回胴式遊技機であって、前記特別遊技状態の終了条件は、所定回数の遊技が行われる第１の終了条件と、該第１の終了条件とは異なる第２の終了条件とを含む２以上の終了条件で構成され、前記遊技制御手段は、前記２以上の終了条件のうち何れか１つが成立しても、別の終了条件が成立するまで前記特別遊技状態を継続させることを特徴とする。
【手続補正３】
【補正対象書類名】明細書
【補正対象項目名】０００９
【補正方法】変更
【補正の内容】
【０００９】
第２発明は、第１発明の回胴式遊技機において、抽選により当選役を決定する抽選手段を備え、前記遊技制御手段は、前記特別遊技状態で前記抽選手段が決定した当選役が特定の当選役であった場合に、前記第１の終了条件の前記所定回数を変更して、該特別遊技状態を延長させることを特徴とする。
【手続補正４】
【補正対象書類名】明細書
【補正対象項目名】００１０
【補正方法】変更
【補正の内容】
【００１０】
第３発明は、第１発明の回胴式遊技機において、抽選により当選役を決定する抽選手段を備え、前記遊技制御手段は、前記特別遊技状態で前記抽選手段が決定した当選役が特定の当選役であった場合に、前記第１の終了条件と前記第２の終了条件の両方を変更して、該特別遊技状態を延長させることを特徴とする。
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
遊技に関する情報を表示可能な表示領域を有する遊技情報表示手段と、
複数種類の図柄を表示する複数の回胴を有し、各回胴の回転停止時の図柄の組合せにより遊技結果を表示する遊技結果表示手段と、
操作有効期間中に遊技者が操作可能な操作手段と、
所定条件の成立に応じて、通常遊技状態と比較して遊技者に有利な特別遊技状態に移行させる遊技制御手段と、を備えた回胴式遊技機であって、
前記特別遊技状態の終了条件は、所定回数の遊技が行われる第１の終了条件と、該第１の終了条件とは異なる第２の終了条件とを含む２以上の終了条件で構成され、
少なくとも前記特別遊技状態への移行時に、遊技者が前記操作手段を操作することで、前記２以上の終了条件のうち何れか１つを選択可能とすることを特徴とする回胴式遊技機。
【請求項２】
請求項１に記載の回胴式遊技機において、
前記特別遊技状態における遊技の実行回数及び獲得した遊技価値量は、終了条件として選択されていない場合でも１回の遊技毎に更新されることを特徴とする回胴式遊技機。
【請求項３】
請求項１又は２に記載の回胴式遊技機において、
前記特別遊技状態における所定のタイミングで、遊技者が前記操作手段を操作することで、前記終了条件を変更可能とすることを特徴とする回胴式遊技機。
【請求項４】
請求項１又は２に記載の回胴式遊技機において、
前記特別遊技状態の延長に特化した延長特化遊技状態への移行時に、遊技者が前記操作手段を操作することで、前記終了条件を変更可能とすることを特徴とする回胴式遊技機。
【手続補正２】
【補正対象書類名】明細書
【補正対象項目名】０００８
【補正方法】変更
【補正の内容】
【０００８】
第１発明は、遊技に関する情報を表示可能な表示領域を有する遊技情報表示手段と、複数種類の図柄を表示する複数の回胴を有し、各回胴の回転停止時の図柄の組合せにより遊技結果を表示する遊技結果表示手段と、操作有効期間中に遊技者が操作可能な操作手段と、所定条件の成立に応じて、通常遊技状態と比較して遊技者に有利な特別遊技状態に移行させる遊技制御手段と、を備えた回胴式遊技機であって、前記特別遊技状態の終了条件は、所定回数の遊技が行われる第１の終了条件と、該第１の終了条件とは異なる第２の終了条件とを含む２以上の終了条件で構成され、少なくとも前記特別遊技状態への移行時に、遊技者が前記操作手段を操作することで、前記２以上の終了条件のうち何れか１つを選択可能とすることを特徴とする。
【手続補正書】
【提出日】平成29年7月28日(2017.7.28)
【手続補正１】
【補正対象書類名】特許請求の範囲
【補正対象項目名】請求項６
【補正方法】変更
【補正の内容】
【請求項６】
前記検査対象物を撮影したカラー画像における培地の領域を学習して分類器をトレーニングするトレーニングステップと、
前記トレーニングステップの終了後に前記検査対象物を撮影したカラー画像中の前記各検査領域における前記パラメータ情報を前記トレーニング済みの前記分類器に入力してコロニーを識別する識別ステップとを更に備え、
前記検出ステップにおける前記検出処理は、前記トレーニングステップでトレーニングされた前記分類器を用いて行われることを特徴とする請求項２乃至５のいずれか一項に記載の微生物検査装置の検証方法。
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
花粉症に対する減感作療法の治療効果を予測するための試験方法であって、
(1) 花粉症に対する減感作療法を実施する被験者から採取した血液より、単核球を単離するステップ、
(2) 前記単核球における、CFH（補体因子Ｈ）遺伝子、TNFRSF21（TNF related death receptor 6）遺伝子及びOSR2(odd-skipped related 2)遺伝子からなる群から選択される少なくとも１つの遺伝子の発現量又は前記各遺伝子がコードするタンパク質産生量の変動を測定するステップ、及び、
(3) 前記遺伝子の発現量又はタンパク質産生量の変動より、前記減感作療法の治療効果に対する予測を決定するステップ、
を含むことを特徴とする、方法。
【請求項２】
花粉症はスギ花粉症であることを特徴とする、請求項１に記載の方法。
【請求項３】
花粉症に対する減感作療法の治療効果を予測するための診断薬であって、
(a) CFHをコードするmRNA若しくはそのcDNAを特異的に検出する核酸プローブ若しくはプライマー、又はCFHを特異的に認識する抗体、
(b) TNFRSF21をコードするmRNA若しくはそのcDNAを特異的に検出する核酸プローブ若しくはプライマー、又はTNFRSF21を特異的に認識する抗体、及び、
(c) OSR2をコードするmRNA若しくはそのcDNAを特異的に検出する核酸プローブ若しくはプライマー、又はOSR2を特異的に認識する抗体、からなる群から選択される少なくとも１つを含むことを特徴とする、診断薬。
【請求項４】
花粉症はスギ花粉症であることを特徴とする、請求項３に記載の診断薬。
【請求項５】
花粉症に対する減感作療法の治療効果を予測するためのマイクロアレイであって、
(a) CFHをコードするmRNA又はそのcDNAを特異的に検出する核酸プローブ、
(b) TNFRSF21をコードするmRNA又はそのcDNAを特異的に検出する核酸プローブ、及び、
(c) OSR2をコードするmRNA又はそのcDNAを特異的に検出する核酸プローブ、からなる群から選択される少なくとも１つを含むことを特徴とする、マイクロアレイ。
【請求項６】
花粉症に対する減感作療法の治療効果を予測するためのマイクロアレイであって、
(a) CFHをコードするmRNAを特異的に検出する核酸プローブは、配列番号7の核酸配列を有するポリヌクレオチドを含み、
(b) TNFRSF21をコードするmRNAを特異的に検出する核酸プローブは、配列番号8の核酸配列を有するポリヌクレオチドを含み、及び、
(c) OSR2をコードするmRNAを特異的に検出する核酸プローブは、配列番号9の核酸配列を有するポリヌクレオチドを含むことを特徴とする、請求項５に記載のマイクロアレイ。
【請求項７】
花粉症はスギ花粉であることを特徴とする、請求項５又は６に記載のマイクロアレイ。
【請求項８】
花粉症に対する減感作療法の治療効果を予測するためのRT-PCR用組成物であって、
(a) CFHがコードされるmRNA又はそのcDNAを特異的に検出する一対のプライマー、
(b) TNFRSF21がコードされるmRNA又はそのcDNAを特異的に検出する一対のプライマー、及び、
(c) OSR2がコードされるmRNA又はそのcDNAを特異的に検出する一対のプライマー、からなる群から選択される少なくとも１対のプライマーを含むことを特徴とする、RT-PCR用組成物。
【請求項９】
請求項８に記載のRT-PCR用組成物であって、
(a) CFHがコードされるcDNAを特異的に検出するプライマーは、配列番号10及び11の核酸配列を有する一対のプライマー、
(b) TNFRSF21がコードされるcDNAを特異的に検出するプライマーは、配列番号12及び13の核酸配列を有する一対のプライマー、及び、
(c) OSR2がコードされるcDNAを特異的に検出するプライマーは、配列番号14及び15の核酸配列を有する一対のプライマー、
の少なくとも一対のプライマーを含むことを特徴とする、RT-PCR用組成物。
【請求項１０】
花粉症はスギ花粉症であることを特徴とする、請求項８又は９に記載のRT-PCR用組成物。
【手続補正書】
【提出日】平成29年7月6日(2017.7.6)
【手続補正１】
【補正対象書類名】明細書
【補正対象項目名】００１６
【補正方法】変更
【補正の内容】
【００１６】
図１は、本実施形態にかかる車両用センターピラーを備える車両の側面図であり、車両右側の側面を車内側から観察した状態を図示している。図２は、図１に示す車両をＡ方向から観察した図であり、車両側部を車外側の前方（Ａ方向）から観察した状態を図示していて、理解を容易にするために前部ドアを不図示としている。図１に示すように、本実施形態にかかる車両用センターピラー（以下、センターピラー１００と称する）は、車両側部の中央で上下方向に延びる部材である。
【手続補正２】
【補正対象書類名】明細書
【補正対象項目名】００１７
【補正方法】変更
【補正の内容】
【００１７】
図１に示すように、センターピラー１００は、外側のサイドボディアウタパネル（以下、アウタパネル１１０と称する）によって外面が構成され、内側のセンターピラーインナパネル（インナパネル１２０と称する）によって内面が構成される。図２に示すように、センターピラー１００のうち、ベルトラインＬ（図１参照）より下方の領域（以下、下方領域１００ｂと称する）はほぼ鉛直であり、ベルトラインＬより上方の領域（以下、上方領域１００ａと称する）は上方に向かうにしたがって車内側に傾斜している。
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
眼鏡レンズ周縁の後面側に後ヤゲンを形成する後ヤゲン加工具を持つ眼鏡レンズ加工装置によって眼鏡レンズの周縁にヤゲンを形成させるためのヤゲン形成データを設定するヤゲン形成データ設定装置であって、
眼鏡レンズの動径角毎に後ヤゲンの第１ヤゲン高さを取得する第１ヤゲン高さ取得手段と、
前記第１ヤゲン高さ取得手段によって取得された第１ヤゲン高さに対して局所的に後ヤゲンの高さを変更した第２ヤゲン高さを設定する第２高さ設定手段であって、動径角の変更範囲及び該変更範囲の第２ヤゲン高さを設定する第２ヤゲン高さ設定手段と、
を備えることを特徴とするヤゲン加工データ設定装置。
【請求項２】
請求項１のヤゲン加工データ設定装置において、前記第２ヤゲン高さ設定手段は、
前記変更範囲を任意に設定するために使用される変更範囲設定手段と、
前記変更範囲における第２ヤゲン高さの少なくとも一部を任意に設定するために使用される部分高さ設定手段と、
前記変更範囲設定手段及び前記部分高さ設定手段による設定情報に基づき、前記変更範囲外のヤゲン高さと前記変更範囲における動径角毎のヤゲン高さとが滑らかに繋がるように第２ヤゲン高さを演算する演算手段と、を備えることを特徴とするヤゲン加工データ設定装置。
【請求項３】
眼鏡レンズ周縁の後面側に後ヤゲンを形成する後ヤゲン加工具を持つ眼鏡レンズ加工装置によって眼鏡レンズの周縁にヤゲンを形成させるためのヤゲン形成データを設定するヤゲン形成データ設定装置であって、
眼鏡レンズの動径角について局所的に後ヤゲンの高さを設定するヤゲン高さ設定手段であって、動径角の範囲と該範囲の後ヤゲンの高さを設定するヤゲン高さ設定手段を備えることを特徴とするヤゲン加工データ設定装置。
【請求項４】
請求項１又は３のヤゲン加工データ設定装置を具備し、眼鏡フレームのリムに眼鏡レンズを保持させるためのヤゲンを眼鏡レンズの周縁に形成する眼鏡レンズ加工装置であって、
眼鏡レンズを保持するレンズ保持軸と、
眼鏡レンズの周縁の後面側に後ヤゲンを形成する後ヤゲン加工具と、
前記後ヤゲン加工具の加工具回転軸と前記レンズ保持軸との間の距離を相対的に変え、前記加工具回転軸と前記レンズ保持軸の軸方向の位置を相対的に変える移動手段と、
前記ヤゲン加工データ設定装置によって取得されたヤゲン高さ情報に基づき、前記レンズ保持軸に保持されたレンズの周縁に後ヤゲンを形成するための加工制御データを取得する加工制御データ取得手段と、
取得された加工制御データに基づいて前記移動手段を制御し、前記後ヤゲン加工具によって眼鏡レンズ周縁に後ヤゲンを形成する制御手段と、
を備えることを特徴とする眼鏡レンズ加工装置。
【請求項５】
眼鏡レンズ周縁の後面側に後ヤゲンを形成する後ヤゲン加工具を持つ眼鏡レンズ加工装置によって眼鏡レンズの周縁にヤゲンを形成させるためのヤゲン形成データを設定するヤゲン形成データ設定装置によって実行されるヤゲン形成データ設定プログラムであって、
ヤゲン形成データ設定装置のプロセッサによって実行されることで、
眼鏡レンズの動径角について局所的に後ヤゲンの高さを設定するヤゲン高さ設定ステップであって、動径角の範囲と該範囲の後ヤゲンの高さを設定するヤゲン高さ設定ステップを、ヤゲン形成データ設定装置に実行させることを特徴とするヤゲン形成データ設定プログラム。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
（１）  本開示における典型的な実施形態が提供するヤゲン形成データ設定装置は、眼鏡レンズ周縁の後面側に後ヤゲンを形成する後ヤゲン加工具を持つ眼鏡レンズ加工装置によって眼鏡レンズの周縁にヤゲンを形成させるためのヤゲン形成データを設定するヤゲン形成データ設定装置であって、眼鏡レンズの動径角毎に後ヤゲンの第１ヤゲン高さを取得する第１ヤゲン高さ取得手段と、前記第１ヤゲン高さ取得手段によって取得された第１ヤゲン高さに対して局所的に後ヤゲンの高さを変更した第２ヤゲン高さを設定する第２高さ設定手段であって、動径角の変更範囲及び該変更範囲の第２ヤゲン高さを設定する第２ヤゲン高さ設定手段と、を備える。
（２）  本開示における典型的な実施形態が提供する眼鏡レンズ加工装置は、眼鏡レンズ周縁の後面側に後ヤゲンを形成する後ヤゲン加工具を持つ眼鏡レンズ加工装置によって眼鏡レンズの周縁にヤゲンを形成させるためのヤゲン形成データを設定するヤゲン形成データ設定装置であって、眼鏡レンズの動径角について局所的に後ヤゲンの高さを設定するヤゲン高さ設定手段であって、動径角の範囲と該範囲の後ヤゲンの高さを設定するヤゲン高さ設定手段を備える。
（３）  本開示における典型的な実施形態が提供する眼鏡レンズ加工装置は、（１）又は（２）のヤゲン加工データ設定装置を具備し、眼鏡フレームのリムに眼鏡レンズを保持させるためのヤゲンを眼鏡レンズの周縁に形成する眼鏡レンズ加工装置であって、眼鏡レンズを保持するレンズ保持軸と、眼鏡レンズの周縁の後面側に後ヤゲンを形成する後ヤゲン加工具と、前記後ヤゲン加工具の加工具回転軸と前記レンズ保持軸との間の距離を相対的に変え、前記加工具回転軸と前記レンズ保持軸の軸方向の位置を相対的に変える移動手段と、前記ヤゲン加工データ設定装置によって取得されたヤゲン高さ情報に基づき、前記レンズ保持軸に保持されたレンズの周縁に後ヤゲンを形成するための加工制御データを取得する加工制御データ取得手段と、取得された加工制御データに基づいて前記移動手段を制御し、前記後ヤゲン加工具によって眼鏡レンズ周縁に後ヤゲンを形成する制御手段と、を備える。
（４）  本開示における典型的な実施形態が提供するヤゲン形成データ設定プログラムは、眼鏡レンズ周縁の後面側に後ヤゲンを形成する後ヤゲン加工具を持つ眼鏡レンズ加工装置によって眼鏡レンズの周縁にヤゲンを形成させるためのヤゲン形成データを設定するヤゲン形成データ設定装置によって実行されるヤゲン形成データ設定プログラムであって、ヤゲン形成データ設定装置のプロセッサによって実行されることで、眼鏡レンズの動径角について局所的に後ヤゲンの高さを設定するヤゲン高さ設定ステップであって、動径角の範囲と該範囲の後ヤゲンの高さを設定するヤゲン高さ設定ステップを、ヤゲン形成データ設定装置に実行させる。
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
円盤状基材の外周面に周方向に分割された分割砥石を複数設けて構成される円盤状砥石であって、少なくとも一部の分割砥石が前記円盤状基材の軸方向に移動可能な移動砥石であることを特徴とする円盤状砥石。
【請求項２】
請求項１記載の円盤状砥石であって、
前記分割砥石の軸方向の角部は、曲面形状に形成され、
前記分割砥石のうち前記円盤状基材に軸方向に移動不能に固定された分割砥石を固定砥石として、
前記移動砥石と前記固定砥石とでは、軸方向の角部の曲率半径が夫々異なることを特徴とする円盤状砥石。
【請求項３】
請求項１又は請求項２に記載の円盤状砥石であって、
前記移動砥石は軸方向に隣接させて複数設けられ、
前記移動砥石の軸方向端面は、前記円盤状基材の軸方向に対して傾斜する傾斜面であることを特徴とする円盤状砥石。
【請求項４】
請求項１又は請求項２に記載の円盤状砥石であって、
前記移動砥石は、周方向に複数設けられ、
前記移動砥石の分割面が夫々ずれていることを特徴とする円盤状砥石。
【請求項５】
請求項１又は請求項２に記載の円盤状砥石であって、
前記移動砥石は、軸方向に２分割された２分割砥石と、軸方向に３分割された３分割砥石とからなることを特徴とする円盤状砥石。
【請求項６】
請求項１から請求項５の何れか１項に記載の円盤状砥石であって、
前記移動砥石の軸方向への移動量を調整自在な調整ネジが設けられることを特徴とする
円盤状砥石。
【請求項７】
請求項１から請求項５の何れか１項に記載の円盤状砥石であって、
前記分割砥石のうち前記円盤状基材に軸方向に移動不能に固定された分割砥石を固定砥石として、
前記固定砥石は板状であり、
前記移動砥石は、板状の前記固定砥石を軸方向から挟み込む一対の可動板で構成され、
前記固定砥石と前記可動板との間には、周方向に向かって徐々に厚さが変化するテーパ部が設けられ、
前記固定砥石と前記可動板とを相対回転させることにより、前記テーパ部によって、一対の前記可動板同士の間の間隔を変化させて、軸方向の幅を変更することを特徴とする円盤状砥石。
【手続補正２】
【補正対象書類名】明細書
【補正対象項目名】０００６
【補正方法】変更
【補正の内容】
【０００６】
［１］上記目的を達成するため、本発明は、円盤状基材の外周面に周方向に分割された分割砥石を複数設けて構成される円盤状砥石であって、少なくとも一部の分割砥石が前記円盤状基材の軸方向に移動可能な移動砥石であることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
［３］また、本発明においては、移動砥石を軸方向に隣接させて複数設け、移動砥石の軸方向端面を円盤状基材の軸方向に対して傾斜する傾斜面とすることができる。かかる構成によれば、移動砥石の移動によって軸方向で隣接する移動砥石の間に隙間が生じても、隙間による研削効率の低下を抑制することができる。
【手続補正５】
【補正対象書類名】明細書
【補正対象項目名】００１１
【補正方法】変更
【補正の内容】
【００１１】
［４］また、本発明においては、移動砥石を周方向に複数設け、移動砥石の分割面を夫々ずらしてもよい。かかる構成によれば、移動砥石の移動によって隙間が生じても、隙間の発生個所が分散され、隙間による研削効率の低下を抑制することができる。
【手続補正６】
【補正対象書類名】明細書
【補正対象項目名】００１２
【補正方法】変更
【補正の内容】
【００１２】
［５］また、本発明においては、移動砥石を、軸方向に２分割された２分割砥石と、軸方向に３分割された３分割砥石とで構成することができる。かかる構成によれば、移動砥石の移動によって隙間が生じても、隙間の発生個所が分散され、隙間による研削効率の低下を抑制することができる。
【手続補正７】
【補正対象書類名】明細書
【補正対象項目名】００１３
【補正方法】変更
【補正の内容】
【００１３】
［６］また、本発明においては、移動砥石の軸方向への移動量を調整自在な調整ネジを設けることができる。
【手続補正８】
【補正対象書類名】明細書
【補正対象項目名】００１４
【補正方法】変更
【補正の内容】
【００１４】
［７］また、本発明においては、固定砥石を板状とし、移動砥石を板状の固定砥石を軸方向から挟み込む一対の可動板で構成して、固定砥石と可動板との間には周方向に向かって徐々に厚さが変化するテーパ部が設けられ、固定砥石と可動板とを相対回転させることにより、テーパ部によって一対の可動板同士の間の間隔を変化させて、軸方向の幅を変更するように構成することができる。
【手続補正書】
【提出日】平成29年8月31日(2017.8.31)
【手続補正１】
【補正対象書類名】特許請求の範囲
【補正対象項目名】請求項４
【補正方法】変更
【補正の内容】
【請求項４】
前記足包部の上部を略筒状に形成するとともにその前部を口縁から甲部にかけて切欠き部を形成した拡開可能な前開口部と、
該前開口部を閉鎖し得るように前記足包部に一体的に形成されている前開閉体とを備えていることを特徴とする請求項１〜３のいずれかに記載のインナーブーツ。
【手続補正２】
【補正対象書類名】明細書
【補正対象項目名】００４０
【補正方法】変更
【補正の内容】
【００４０】
スポーツ用インナーブーツ１００の偏肉構造は、図２に示すように、使用者の踵を包み込むように形成される踵部２７、使用者の踝を包み込むようにその踝に相当する部分である踝部２８、踝部２８の上方に使用者の脹脛に沿うように延びる脹脛部２９に採用している。すなわち、この偏肉構造は、底板部１０の踏まず部に加えて踵部２７から足首レベルの上を介して脹脛部２９までの範囲、すなわち使用者の足全体の範囲において使用者の足にフィットするような構造となっている。より具体的には、まず、踵部２７の後部を、略Ｌ字状にし、その上方を使用者のアキレス腱を保護するように徐々に肉厚に形成している。そして、踝部２８の中心を薄くしつつ周縁にいくにしたがって徐々に肉厚に形成する。さらに、使用者の脹脛の形状に沿うように脹脛部２９を徐々に肉薄に形成している。
【手続補正３】
【補正対象書類名】明細書
【補正対象項目名】００６５
【補正方法】変更
【補正の内容】
【００６５】
足包部２２０は、使用者の足を入れるための後開口部２３０を有する筒状部２２３を備えている。筒状部２２３は足包部２２０の上部が略筒状に形成されている。筒状部２２３の後部を口縁２２４から踝部２８にかけて切欠き部２２６を形成して拡開可能な後開口部２３０を形成する。この後開口部２３０を閉鎖し得るように後開閉体２４０を備える。
【手続補正４】
【補正対象書類名】明細書
【補正対象項目名】００６６
【補正方法】変更
【補正の内容】
【００６６】
後開閉体２４０は、足包部２２０の踝部２８において上部側に延出するように一体的に形成されている。後開閉体２４０の上部は、脹脛部２２９の上端を使用者の脹脛に沿うようにさらに後部側に反らして形成されている。
【手続補正５】
【補正対象書類名】明細書
【補正対象項目名】００７５
【補正方法】変更
【補正の内容】
【００７５】
いわゆる巻き込み型のインナーブーツとは、図１に示すスポーツ用インナーブーツ１００において、両切欠き部２６，２６のうち一方の切欠き部２６を形成せずに前開閉体４０の一方側と筒状部２３の一方側を連結したままとし、他方のみに切欠き部４２６を形成して片前開口部４３０を形成する。この片前開口部４３０を有する足包部２０の上部を筒状部４２３とする。片前開口部４３０を閉塞し得るように前開閉体４４０が筒状部４２３の切欠き部４２６に重なるように内側に巻き込むように配設される巻き込み型の構造とした。スポーツ用インナーブーツ４００は、この構成の足包部４２０を備えたものである。
【手続補正６】
【補正対象書類名】明細書
【補正対象項目名】００７６
【補正方法】変更
【補正の内容】
【００７６】
すなわち、足包部４２０は、上部を略筒状に形成した筒状部４２３の前部を口縁４２４から甲部２５にかけて一条の切欠き部４２６を有する。そしてこの切欠き部４２６によって拡開可能な片前開口部４３０を形成する。この片前開口部４３０を閉鎖し得るように片前開口部４３０の内側に延出して巻き込まれるように配設される巻き込み型の前開閉体４４０を備える。
【手続補正７】
【補正対象書類名】明細書
【補正対象項目名】００７７
【補正方法】変更
【補正の内容】
【００７７】
巻き込み型の前開閉体４４０は、足包部４２０に一体的に形成されている。巻き込み型の前開閉体４４０は、筒状部４２３の片前開口部４３０の内側に巻き込むように配設されており、使用の際には、前開閉体４４０の下部を軸として片前開口部４３０を拡開して、使用者の足を筒状部４２３からスポーツ用インナーブーツ４００内に入れることができる。
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
ネットワークを介して複数のプレイヤの端末装置と接続され、各前記プレイヤが育成アイテムを育てるゲームを提供するゲーム管理サーバ装置であって、
各前記プレイヤの前記端末装置に、それぞれ一の育成アイテムを育てて収穫可能状態とする育成区画を所定数含む育成ファームを表示するためのデータを提供する育成ファーム管理部と、
各前記プレイヤの前記育成ファームで収穫された前記育成アイテムを、収穫済アイテムとして当該プレイヤの識別情報に対応づけて記憶する収穫済アイテム情報記憶部と、
各前記プレイヤの前記端末装置に、当該プレイヤの識別情報に対応づけて前記収穫済アイテム情報記憶部に記憶された前記収穫済アイテムの中から選択された任意の一の前記収穫済アイテムのイメージをそれぞれ表示可能な配置区画を複数含み、他の前記プレイヤの前記端末装置からも閲覧可能な鑑賞ファームを表示するためのデータを提供する鑑賞ファーム管理部と、
各前記プレイヤの前記育成ファームで育てられた各前記育成アイテムに出現する動物アイテムであって、各前記プレイヤの前記育成ファームで捕獲された動物アイテムを、当該プレイヤの所有動物アイテムとして当該プレイヤの識別情報に対応づけて記憶する所有アイテム情報記憶部と、
を含み、
前記鑑賞ファーム管理部は、各前記プレイヤの前記端末装置に、当該プレイヤの識別情報に対応づけて前記所有アイテム情報記憶部に記憶された前記所有動物アイテムの中から選択された任意の一の前記所有動物アイテムのイメージが、前記鑑賞ファームのいずれか一の前記配置区画に表示された状態を表示するためのデータを提供するゲーム管理サーバ装置。
【請求項２】
請求項１に記載のゲーム管理サーバ装置において、
前記他のプレイヤの前記端末装置に表示される前記鑑賞ファームは、当該他のプレイヤが当該鑑賞ファームを評価するための評価ボタンを含むゲーム管理サーバ装置。
【請求項３】
請求項１又は２に記載のゲーム管理サーバ装置において、
各前記プレイヤが前記ゲーム内で所有するアイテムであって、前記育成ファームを装飾するための装飾アイテムを、当該プレイヤの所有装飾アイテムとして当該プレイヤの識別情報に対応づけて記憶する所有アイテム情報記憶部をさらに含み、
前記鑑賞ファーム管理部は、各前記プレイヤの前記端末装置に、当該プレイヤの識別情報に対応づけて前記所有アイテム情報記憶部に記憶された前記所有装飾アイテムの中から選択されかつ当該プレイヤの前記育成ファームに利用されていない任意の前記所有装飾アイテムが、前記鑑賞ファームに表示された状態を表示するためのデータを提供するゲーム管理サーバ装置。
【請求項４】
請求項１から３いずれかに記載のゲーム管理サーバ装置において、
前記鑑賞ファーム管理部は、各前記プレイヤの前記端末装置に、前記任意の一の前記所有動物アイテムのイメージが、前記鑑賞ファームの前記配置区画のうち、前記収穫済アイテムのイメージが表示されたいずれか一の前記配置区画の当該収穫済アイテム上に重ねて表示された状態を表示するためのデータを提供するゲーム管理サーバ装置。
【請求項５】
ネットワークを介して複数のプレイヤの端末装置と接続され、各前記プレイヤが育成アイテムを育てるゲームを提供するゲームを提供するゲーム管理サーバ装置として機能するコンピュータであって、記憶部を含むコンピュータを、
各前記プレイヤの前記端末装置に、それぞれ一の育成アイテムを育てて収穫可能状態とする育成区画を所定数含む育成ファームを表示するためのデータを提供する育成ファーム管理手段、
各前記プレイヤの前記育成ファームで収穫された前記育成アイテムを、収穫済アイテムとして当該プレイヤの識別情報に対応づけて前記記憶部に記憶する収穫済アイテム情報記憶手段、
各前記プレイヤの前記端末装置に、当該プレイヤの識別情報に対応づけて前記記憶部に記憶された前記収穫済アイテムの中から選択された任意の一の前記収穫済アイテムのイメージをそれぞれ表示可能な配置区画を複数含み、他の前記プレイヤの前記端末装置からも閲覧可能な鑑賞ファームを表示するためのデータを提供する鑑賞ファーム管理手段、
各前記プレイヤの前記育成ファームで育てられた各前記育成アイテムに出現する動物アイテムであって、各前記プレイヤの前記育成ファームで捕獲された動物アイテムを、当該プレイヤの所有動物アイテムとして当該プレイヤの識別情報に対応づけて前記記憶部に記憶する所有アイテム情報記憶手段、
として機能させ、
前記鑑賞ファーム管理手段に、各前記プレイヤの前記端末装置に、当該プレイヤの識別情報に対応づけて前記記憶部に記憶された前記所有動物アイテムの中から選択された任意の一の前記所有動物アイテムのイメージが、前記鑑賞ファームのいずれか一の前記配置区画に表示された状態を表示するためのデータを提供させるゲーム管理プログラム。
【請求項６】
請求項５に記載のゲーム管理プログラムにおいて、
前記他のプレイヤの前記端末装置に表示される前記鑑賞ファームは、当該他のプレイヤが当該鑑賞ファームを評価するための評価ボタンを含むゲーム管理プログラム。
【請求項７】
請求項５又は６に記載のゲーム管理プログラムにおいて、
前記コンピュータを、各前記プレイヤが前記ゲーム内で所有するアイテムであって、前記育成ファームを装飾するための装飾アイテムを、当該プレイヤの所有装飾アイテムとして当該プレイヤの識別情報に対応づけて前記記憶部に記憶する所有アイテム情報記憶手段として機能させ、
前記鑑賞ファーム管理手段に、各前記プレイヤの前記端末装置に、当該プレイヤの識別情報に対応づけて前記記憶部に記憶された前記所有装飾アイテムの中から選択されかつ当該プレイヤの前記育成ファームに利用されていない任意の前記所有装飾アイテムが、前記鑑賞ファームに表示された状態を表示するためのデータを提供させるゲーム管理プログラム。
【請求項８】
請求項５から７いずれかに記載のゲーム管理プログラムにおいて、
前記鑑賞ファーム管理手段に、各前記プレイヤの前記端末装置に、前記任意の一の前記所有動物アイテムのイメージが、前記鑑賞ファームの前記配置区画のうち、前記収穫済アイテムのイメージが表示されたいずれか一の前記配置区画の当該収穫済アイテム上に重ねて表示された状態を表示するためのデータを提供させるゲーム管理プログラム。
【手続補正書】
【提出日】平成29年9月15日(2017.9.15)
【手続補正１】
【補正対象書類名】明細書
【補正対象項目名】００１５
【補正方法】変更
【補正の内容】
【００１５】
筒状ストッパ１１の係止部１１ａと下部ピストン６の係合段部６ｄとの間にはスプリング１２が配置されて、前記下部ピストン６を上方へ弾発付勢する一方、前記筒状ストッパ１１を下方に弾発付勢している。また、前記筒状ストッパ１１の内周面に形成した段部１１ｂとボール弁１０の間にはスプリング１３が配置されて、前記ボール弁１０を下方に弾発付勢し、前記筒状ストッパ１１を上方に弾発付勢している。このスプリング１３の弾発力は、前記スプリング１２の弾発付勢力よりは弱く設定され、前記筒状ストッパ１１を上方へ移動させることはできない一方、シリンダ７内の圧力が容器本体１内の圧力より所定以上小さくなるまでは、前記ボール弁１０を弁座１５に密着させて閉鎖状態を維持できるように設定している。
【手続補正２】
【補正対象書類名】明細書
【補正対象項目名】００２１
【補正方法】変更
【補正の内容】
【００２１】
この時、ボール弁１０はスプリング１３の弾発力で弁座１５に密接して閉鎖状態を維持するので、シリンダ７内の圧力が下がっても容器本体１内の液体が前記シリンダ７内に流入することはなく、前記シリンダ７内の負圧状態は維持されて、前述した上下各ピストン４，６内の液体を連通孔６ｂ及び凹溝と連通孔６ｃを通ってシリンダ７内に引き込む吸引動作及び液体吐出口５ａに残留する液体をピストン４，６内に引き込む吸引動作は確実になされる。また、上下各一対の連通孔６ｂ、６ｃから液体を引き込むので、この吸引動作は連通孔が一つの場合よりも迅速になされる。
【手続補正３】
【補正対象書類名】明細書
【補正対象項目名】００２５
【補正方法】変更
【補正の内容】
【００２５】
１      容器本体
２      ポンプ取付筒
２ａ      突壁
２ｂ      ガイド孔
２ｃ      ガイド壁
２ｄ      嵌合溝
３      ポンプ
４      上部ピストン
４ａ      大径部
４ｂ      段部
５      駆動ヘッド
５ａ      嵌合筒
５ｂ      液体吐出口
６      下部ピストン
６ａ      スカート部
６ｂ、６ｃ      連通孔
６ｄ      係合段部
７      シリンダ
７ａ      環状突壁
７ｂ      環状鍔部
７ｃ      段部
８      パッキン
９      開口
１０      ボール弁
１１      筒状ストッパ
１１ａ      係止部
１１ｂ      段部
１２，１３      スプリング
１４      シール弁
１５      弁座
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
液体噴射装置のオンキャリッジ・ホルダーに装着される液体供給ユニットであって、
第１面と、前記第１面に対向する第２面と、前記第１面と前記第２面とに交差する第３面と、前記第１面と前記第２面とに交差し前記第３面に対向する第４面と、前記第２面から前記第１面に向かう方向に前記第１面から突出する液体供給部と、を有する本体と、
前記本体に取り付けられた係合構造と、を備え、
前記係合構造は、
前記第１面側に設けられ、前記第２面から前記第１面に向かう方向に前記第１面から突出し、前記液体供給ユニットが前記オンキャリッジ・ホルダーに装着された状態において、前記オンキャリッジ・ホルダーの底壁に設けられた貫通孔と係合可能な係合部と、
前記第２面側に設けられ、前記係合部と前記オンキャリッジ・ホルダーとの係合を解除可能な操作部と、
前記係合部と前記操作部との間に設けられ、前記係合部と前記操作部とを連結する連結部と、を含む、ことを特徴とする液体供給ユニット。
【請求項２】
請求項１に記載の液体供給ユニットにおいて、さらに、
前記第３面から前記第４面に向かう方向に前記第４面から突出し、前記液体供給ユニットが前記オンキャリッジ・ホルダーに装着された状態において、前記液体供給ユニットが前記オンキャリッジ・ホルダー内で前記第１面から前記第２面に向かう方向に移動する動きを規制可能な第２係合部、を備えることを特徴とする液体供給ユニット。
【請求項３】
請求項１に記載の液体供給ユニットにおいて、さらに、
前記第１面と前記第３面との間に配置される電気端子部を備え、
前記液体供給ユニットが前記オンキャリッジ・ホルダーに装着された状態において、前記電気端子部は、前記オンキャリッジ・ホルダーにより前記第１面から前記第２面に向かう方向に付勢され、
前記係合構造は前記第３面から前記第４面に向かう方向において前記液体供給部と前記電気端子部との間に位置する、ことを特徴とする液体供給ユニット。
【請求項４】
請求項１に記載の液体供給ユニットにおいて、
前記係合部は一対の脚部を有する、ことを特徴とする液体供給ユニット。
【請求項５】
請求項１に記載の液体供給ユニットにおいて、
前記操作部は前記第２面から露出している、ことを特徴とする液体供給ユニット。
【請求項６】
請求項１〜５のいずれか一項に記載の液体供給ユニットにおいて、
前記操作部が、前記第１面から前記第２面に向かう方向に沿って動かされることによって、前記係合部と前記オンキャリッジ・ホルダーとの係合の解除が行われる、ことを特徴とする液体供給ユニット。
【請求項７】
請求項１〜５のいずれか一項に記載の液体供給ユニットにおいて、
前記操作部が回転されられることで、前記係合部と前記オンキャリッジ・ホルダーとの係合の解除が行われる、ことを特徴とする液体供給ユニット。
【手続補正２】
【補正対象書類名】明細書
【補正対象項目名】００１２
【補正方法】変更
【補正の内容】
【００１２】
（６）本発明の第３の形態によれば、液体噴射装置のオンキャリッジ・ホルダーに装着される液体供給ユニットが提供される。この液体供給ユニットは、第１面と、前記第１面に対向する第２面と、前記第１面と前記第２面とに交差する第３面と、前記第１面と前記第２面とに交差し前記第３面に対向する第４面と、液体供給部と、を有する本体と；前記本体に取り付けられた係合構造と；を備える。前記係合構造は、前記第１面側に設けられ、前記第２面から前記第１面に向かう方向に前記第１面から突出し、前記液体供給ユニットが前記オンキャリッジ・ホルダーに装着された状態において、前記オンキャリッジ・ホルダーの底壁に設けられた貫通孔と係合可能な係合部と；前記第２面側に設けられ、前記係合部と前記オンキャリッジ・ホルダーとの係合を解除可能な操作部と；前記係合部と前記操作部との間に設けられ、前記係合部と前記操作部とを連結する連結部と；を含む。
この第３の形態によれば、操作部を用いて係合部とオンキャリッジ・ホルダーとの係合を解除することができるので、従来技術に無い新たな係合機構によって、液体供給ユニットをオンキャリッジ・ホルダーから取り外すことが可能である。
【手続補正３】
【補正対象書類名】明細書
【補正対象項目名】００１５
【補正方法】変更
【補正の内容】
【００１５】
（８）上記液体供給ユニットは、さらに、前記第１面と前記第３面との間に配置される電気端子部を備え；前記液体供給ユニットが前記オンキャリッジ・ホルダーに装着された状態において、前記電気端子部は、前記オンキャリッジ・ホルダーにより前記第１面から前記第２面に向かう方向に付勢され；前記係合構造は前記第３面から前記第４面に向かう方向において前記液体供給部と前記電気端子部との間に位置するものとしてもよい。
この構成によれば、電気端子部の近傍に第１係合部が位置するので、電気端子部の電気的接触を安定化することが可能である。
上記液体供給ユニットにおいて、前記係合部は一対の脚部を有してもよい。
この構成によれば、操作部を用いて一対の脚部とオンキャリッジ・ホルダーとの係合を解除することができる。
【手続補正４】
【補正対象書類名】明細書
【補正対象項目名】００１８
【補正方法】変更
【補正の内容】
【００１８】
（１１）上記液体供給ユニットにおいて、前記操作部は、前記第２面から露出しているものとしてもよい。
この構成によれば、操作部が第２面から露出しているので、利用者が操作部を操作し易い。
【手続補正５】
【補正対象書類名】明細書
【補正対象項目名】００１９
【補正方法】変更
【補正の内容】
【００１９】
（１２）上記液体供給ユニットにおいて、前記操作部が前記第２面から前記第１面に向かう方向に沿って動かされることによって、前記係合部と前記オンキャリッジ・ホルダーとの係合の解除が行われるものとしてもよい。
【手続補正６】
【補正対象書類名】明細書
【補正対象項目名】００２０
【補正方法】変更
【補正の内容】
【００２０】
（１３）液体供給ユニットにおいて、前記操作部が回転されられることで、前記係合部と前記オンキャリッジ・ホルダーとの係合の解除が行われるものとしてもよい。
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
プリンタ本体と、
前記プリンタ本体に開閉可能に取り付けられる蓋と、
ロール状の記録紙が収容される記録紙ホルダと、
を有し、
前記記録紙ホルダには、収容される記録紙が接する底面が形成され、
前記記録紙ホルダの底面に突起が設けられることを特徴とするプリンタ装置。
【請求項２】
前記記録紙ホルダには、前記底面に連続して形成される曲面が形成され、
前記突起は前記曲面と前記蓋との間に設けられていることを特徴とする請求項１に記載のプリンタ装置。
【請求項３】
前記曲面は、前記ロール状に巻かれた記録紙の外形の一部と相似形であることを特徴とする請求項２に記載のプリンタ装置。
【請求項４】
プリンタ本体と、
前記プリンタ本体に開閉可能な状態で取り付けられた蓋と、
を有し、
前記蓋には、記録ヘッドまたはプラテンローラのうちの一方が取り付けられており、
前記プリンタ本体には、前記記録ヘッドまたは前記プラテンローラのうちの他方が取り付けられており、
前記プリンタ本体には、前記蓋を閉じることにより、ロール状に巻かれた記録紙が収納される記録紙ホルダが設けられており、
記録紙ホルダの内側の底面には、複数の突起部が設けられていることを特徴とするプリンタ装置。
【請求項５】
前記複数の突起部のうちの一方の突起部は、他方の突起部よりも、前記蓋に近い側に形成されていることを特徴とする請求項４に記載のプリンタ装置。
【手続補正２】
【補正対象書類名】明細書
【補正対象項目名】０００８
【補正方法】変更
【補正の内容】
【０００８】
本実施の形態の一観点によれば、プリンタ本体と、前記プリンタ本体に開閉可能に取り付けられる蓋と、ロール状の記録紙が収容される記録紙ホルダと、を有し、前記記録紙ホルダには、収容される記録紙が接する底面が形成され、前記記録紙ホルダの底面に突起が設けられることを特徴とする。
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
円盤形状の光学部と前記光学部の外周部分から外側に延びる少なくとも１つの支持部とを備える眼内レンズを押し出すための通路を有し、前記通路は、前記眼内レンズの押し出し方向の先端へ向かうにつれて内径が徐々に小さくなる挿入路を備え、前記通路内にて前記眼内レンズを前記光学部の中心軸方向の一方の面が前記通路の底面と対面するように配置し、前記眼内レンズを押し出すことにより前記挿入路内にて前記光学部を折り曲げると共に、前記支持部を前記光学部の外周部分の内側に折り畳み、前記眼内レンズを患者眼に挿入する眼内レンズ挿入器具であって、
前記通路内に配置される前記眼内レンズの前記光学部の径方向であり、かつ、前記眼内レンズの押し出し方向に対して垂直な方向における両側の位置にて、前記通路の底面側に向けて突出する一対の突起を有し、
前記眼内レンズを前記一対の突起により前記通路の底面側に押さえること、
を特徴とする眼内レンズ挿入器具。
【請求項２】
請求項１の眼内レンズ挿入器具において、
前記眼内レンズを押し出す押出部材と、
前記押出部材の押し出し方向を案内する案内部と、
前記案内部の一方の壁面を構成する第１案内突起と、
前記案内部の他方の壁面を構成する第２案内突起と、を有し、
前記通路内に配置される前記眼内レンズの前記光学部の径方向であり、かつ、前記眼内レンズの押し出し方向に対して垂直な方向について、前記一対の突起は、各々、前記第１案内突起と前記第２案内突起に対して外側の位置に形成されていること、
を特徴とする眼内レンズ挿入器具。
【請求項３】
請求項１または２の眼内レンズ挿入器具において、
前記眼内レンズは、前記通路内にて前記眼内レンズの押し出し方向の前方に配置される前記支持部である前方支持部と、前記通路内にて前記眼内レンズの押し出し方向の後方に配置される前記支持部である後方支持部と、を備え、
前記眼内レンズの押し出し時には、前記前方支持部と前記後方支持部が各々前記光学部の外周部分の内側に折り畳まれ、
前記眼内レンズの押し出し方向について、前記一対の突起の後方の端部は、前記後方支持部の折り畳みが完了したときに前記光学部が配置される位置よりも前方の位置に形成されていること、
を特徴とする眼内レンズ挿入器具。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
荷電粒子を加速し、荷電粒子ビームとして取り出す加速器と、
前記荷電粒子ビームを照射点まで輸送するビーム輸送装置と、
前記加速器、前記ビーム輸送装置を制御する制御部とを備え、
前記ビーム輸送装置は、
前記照射点がその内部に存在する建屋に対して固定された固定輸送装置と、
この固定輸送装置の下流に接続された回転輸送装置であって、前記建屋に対して回転自在に設置され、前記建屋に対して固定された前記照射点に対してその回転によって前記荷電粒子を照射する角度を回転自在に定める回転輸送装置とを有し、
前記回転輸送装置の先の前記照射点にある照射対象に対して前記荷電粒子ビームを照射するための粒子線治療装置におけるビーム輸送装置の調整方法であって、
前記回転輸送装置内のビームの進行方向に垂直な面内の直行する二方向のベータトロン振動の位相進みの差がπの整数倍となるよう、前記制御部における前記回転輸送装置の制御パラメータを調整する
ことを特徴とするビーム輸送装置の調整方法。
【請求項２】
請求項１に記載のビーム輸送装置の調整方法において、
前記位相進みの差を、前記回転輸送装置中の荷電粒子ビームの形状の前記回転輸送装置の回転角に対する依存性を測定することで算出する
ことを特徴とするビーム輸送装置の調整方法。
【請求項３】
請求項１に記載のビーム輸送装置の調整方法において、
前記位相進みの差を、この位相進みの差の余弦を前記荷電粒子ビームの傾き角の正接と前記回転輸送装置の回転角の正接の比として算出し、この位相進みの差の余弦から前記位相進みの差を算出する
ことを特徴とするビーム輸送装置の調整方法。
【請求項４】
請求項１に記載のビーム輸送装置の調整方法において、
調整者は、前記制御部における前記回転輸送装置の制御パラメータ、前記位相進みの差をπの整数倍とするための調整過程の各種パラメータをインターフェイスによって確認する
ことを特徴とするビーム輸送装置の調整方法。
【請求項５】
患者の患部に荷電粒子ビームを照射する粒子線治療システムであって、
荷電粒子を加速し、前記荷電粒子ビームとして取り出す加速器と、
前記荷電粒子ビームを照射点まで輸送するビーム輸送装置と、
前記加速器、前記ビーム輸送装置を制御する制御部とを備え、
前記ビーム輸送装置は、
前記照射点がその内部に存在する建屋に対して固定された固定輸送装置と、
この固定輸送装置の下流に接続された回転輸送装置であって、前記建屋に対して回転自在に設置され、前記建屋に対して固定された前記照射点に対してその回転によって前記荷電粒子ビームを照射する角度を回転自在に定める回転輸送装置とを有し、
前記制御部は、前記回転輸送装置内のビームの進行方向に垂直な面内の直行する二方向のベータトロン振動の位相進みの差がπの整数倍となるよう調整された制御パラメータに基づいて前記回転輸送装置の制御を行う
ことを特徴とする粒子線治療システム。
【請求項６】
請求項５に記載の粒子線治療装置において、
前記回転輸送装置の制御パラメータ、前記位相進みの差をπの整数倍とするための調整過程の各種パラメータを調整者が確認するためのインターフェイスを更に備えた
ことを特徴とする粒子線治療装置。
【手続補正２】
【補正対象書類名】明細書
【補正対象項目名】００５２
【補正方法】変更
【補正の内容】
【００５２】
回転輸送装置５２０のように、単一の平面内に設置された輸送装置では、その輸送行列は式２−４に示したＲＤ，ＲＢＭ，ＲＱＭの積である。よって輸送行列の（１，３），（１，４），（２，３），（２，４）成分は０である。すると、シンクロトロン４００の出射点４２０におけるビームのシグマ行列のうち、Ｘ方向とＹ方向の共分散成分、すなわち（１，３），（１，４），（２，３），（２，４）成分が０であれば、輸送装置全域にわたってこれらの値は０である。
【手続補正３】
【補正対象書類名】明細書
【補正対象項目名】００５４
【補正方法】変更
【補正の内容】
【００５４】
輸送装置５００の調整には以上の理論を用いる。すなわち、接続点６４０あるいは照射点６３０のようにビームのシグマ行列に対して調整目標がある場合、式１１においてΣｉをシンクロトロンの出射点４２０におけるシグマ行列とし、接続点６４０や照射点６３０におけるビームのシグマ行列に課される条件を満たすシグマ行列をΣｆとすれば、式１１は四極電磁石励磁量を変数とする方程式となる。この方程式を解くことにより、接続点６４０や照射点６３０でのシグマ行列に課された条件を満足する四極電磁石励磁量が得られる。この解を求める手法は適宜、準ニュートン法など多変数方程式を数値的に解く手法を用いて数値解を得ればよい。これらの計算処理はデータ処理装置８３０が記憶装置８２０に蓄積されたデータを基づいて計算する。以上の方法に基づいて輸送装置５００の各部を制御するパラメータの調整を行う。
【手続補正４】
【補正対象書類名】明細書
【補正対象項目名】００９０
【補正方法】変更
【補正の内容】
【００９０】
よって、照射点６３０におけるビームサイズおよびビームの形状（ビームの長軸と短軸の長さ）をガントリー６００の回転角度の関係に依存せずに一定とすることができ、ビームの照射精度の向上を実現することができる。また、回転輸送装置５２０の回転角度毎の四極電磁石５７１〜５７７の制御パラメータを演算する必要がなくなり、制御装置の制御系統の構造を簡易にすることができ、調整および制御が従来に比べて容易となる。
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
第１駆動部によって光軸方向に移動される第１フォーカス用光学部材と、前記第１フォーカス用光学部材を介して眼底からの反射光を受光するための受光素子と、を備え、前記受光素子からの出力信号に基づいて被検眼眼底の正面画像を取得するための正面撮像光学系と、
第２駆動部によって光軸方向に移動される第２フォーカス用光学部材を備え被検眼眼底に測定光を導くための測定光路と、参照光を生成するための参照光路と、測定光路を介して被検眼に導かれた測定光と参照光路からの参照光との干渉信号を含む検出信号を検出するための検出器と、を備え、前記検出器からの出力信号に基づいて被検眼眼底の断層画像を取得するためのＯＣＴ光学系と、
前記正面撮像光学系の眼底に対する合焦位置情報である第１の合焦位置情報を前記受光素子から出力される受光信号に基づいて取得し、第１フォーカス用光学部材を合焦位置に移動させる第１オートフォーカス制御と、
前記ＯＣＴ光学系の眼底に対する合焦位置情報である第２の合焦位置情報を前記検出器からの出力信号に基づいて取得し、前記第２フォーカス用光学部材を合焦位置に移動させる第２オートフォーカス制御と、を独立して実行可能な制御手段と、を備えることを特徴とする眼底撮影装置。
【請求項２】
前記制御手段は、前記第１オートフォーカス制御と前記第２オートフォーカス制御とを並行して実行することを特徴とする請求項１の眼科撮影装置。
【請求項３】
前記第１フォーカス用光学部材及び前記第２フォーカス用光学部材を光軸方向に移動させるための検者からの指示を受け付ける指示受付手段を備え、
前記制御手段は、前記指示受付手段からの指示信号に基づいて前記第１駆動部及び前記第２駆動部を連動して駆動させることを特徴とする請求項１または２の眼科撮影装置。
【請求項４】
前記第１フォーカス用光学部材及び前記第２フォーカス用光学部材を光軸方向に移動させるための検者からの指示を受け付ける指示受付手段を備え、
前記制御手段は、前記指示受付手段からの指示信号に基づいて前記第１駆動部及び前記第２駆動部を独立して駆動させることを特徴とする請求項１または２の眼科撮影装置。